【手続補正書】
【提出日】平成18年12月13日(2006.12.13)
【手続補正１】
【補正対象書類名】明細書
【補正対象項目名】特許請求の範囲
【補正方法】変更
【補正の内容】
【特許請求の範囲】
【請求項１】  電流生成電池における使用のための固体複合カソードを形成する方法であって、ここで該方法は、以下の工程：
（ａ）以下：
（ｉ）硫黄元素を含む電気活性硫黄含有物質；および、
（ｉｉ）電気伝導性物質；
を、液体媒体中に分散させるかまたは懸濁させて液体混合物を形成する工程；
（ｂ）工程（ａ）で形成される該液体混合物を、基材上にキャスティングしてキャスト層を形成する工程；
（ｃ）工程（ｂ）で形成される該キャスト層から、該液体媒体の少しまたはすべてを除去して、該基材上に乾燥層を形成する工程；
（ｄ）該電気活性硫黄含有物質の融点を超える温度まで加熱することにより、該乾燥層中の該電気活性硫黄含有物質を融解させ、融解層を形成する工程；および、
（ｅ）工程（ｄ）において形成される該溶融した電気活性硫黄含有物質を再凝固させて、再分布した電気活性硫黄含有物質を有するカソード活性層を形成する工程であって、ここで該再分布した電気活性硫黄含有物質が、該カソード活性層中に５００ｍｇ／ｃｍ3より大きい体積密度で存在する、工程、
を包含する、方法。
【請求項２】  電流生成電池における使用のための固体複合カソードを形成する方法であって、ここで該方法は、以下の工程：
（ａ）以下：
（ｉ）硫黄元素を含む電気活性硫黄含有物質；および、
（ｉｉ）電気伝導性物質；
を、液体媒体中に分散させるかまたは懸濁させて液体混合物を形成し、ここで該液体混合物は高分子バインダーを含まない、工程；
（ｂ）工程（ａ）で形成される該液体混合物を、基材上にキャスティングしてキャスト層を形成する工程；
（ｃ）工程（ｂ）で形成される該キャスト層から、該液体媒体の少しまたはすべてを除去して、該基材上に乾燥層を形成する工程；
（ｄ）該電気活性硫黄含有物質の融点を超える温度まで加熱することにより、該乾燥層中の該電気活性硫黄含有物質を融解させ、融解層を形成する工程；および、
（ｅ）工程（ｄ）において形成される該溶融した電気活性硫黄含有物質を再凝固させて、再分布した電気活性硫黄含有物質を有するカソード活性層を形成する工程であって、ここで該再分布した電気活性硫黄含有物質が、該カソード活性層中に５００ｍｇ／ｃｍ3より大きい体積密度で存在し、かつ該カソード活性層が高分子バインダーを含まない、工程、
を包含する、方法。
【請求項３】  電流生成電池における使用のための固体複合カソードを形成する方法であって、ここで該方法は、以下の工程：
（ａ）以下：
（ｉ）硫黄元素を含む電気活性硫黄含有物質；および、
（ｉｉ）電気伝導性物質；
を、液体媒体中に分散させるかまたは懸濁させて液体混合物を形成し、ここで該液体混合物はイオン導電物質を含まない、工程；
（ｂ）工程（ａ）で形成される該液体混合物を、基材上にキャスティングしてキャスト層を形成する工程；
（ｃ）工程（ｂ）で形成される該キャスト層から、該液体媒体の少しまたはすべてを除去して、該基材上に乾燥層を形成する工程；
（ｄ）該電気活性硫黄含有物質の融点を超える温度まで加熱することにより、該乾燥層中の該電気活性硫黄含有物質を融解させ、融解層を形成する工程；および、
（ｅ）工程（ｄ）において形成される該溶融した電気活性硫黄含有物質を再凝固させて、再分布した電気活性硫黄含有物質を有するカソード活性層を形成する工程であって、ここで該再分布した電気活性硫黄含有物質が、該カソード活性層中に５００ｍｇ／ｃｍ3より大きい体積密度で存在し、かつ該カソード活性層がイオン導電物質を含まない、工程、
を包含する、方法。
【請求項４】  工程（ｄ）の前に、工程（ｃ）で形成される前記乾燥層をカレンダー処理により圧縮する、請求項１〜３のいずれか１項に記載の方法。
【請求項５】  工程（ｅ）の前に、工程（ｄ）で形成される前記融解層をカレンダー処理により圧縮する、請求項１〜３のいずれか１項に記載の方法。
【請求項６】  工程（ｅ）におけるカソード活性層を形成する工程の後に、該カソード活性層を圧縮するさらなる工程が存在する、請求項１〜３のいずれか１項に記載の方法。
【請求項７】  前記再分布した電気活性硫黄含有物質が、前記カソード活性層の６０〜９５重量パーセントの量で存在する、請求項１〜３のいずれか１項に記載の方法。
【請求項８】  前記再分布した電気活性硫黄含有物質が、前記カソード活性層の７０〜８５重量パーセントの量で存在する、請求項１に記載の方法。
【請求項９】  前記再分布した電気活性硫黄含有物質が、前記カソード活性層の７０〜９５重量パーセントの量で存在する、請求項２または３に記載の方法。
【請求項１０】  前記再分布した電気活性硫黄含有物質が、前記カソード活性層中に７００ｍｇ／ｃｍ3より大きい体積密度で存在する、請求項１〜３のいずれか１項に記載の方法。
【請求項１１】  前記再分布した電気活性硫黄含有物質が、前記カソード活性層中に１０００ｍｇ／ｃｍ3より大きい体積密度で存在する、請求項１〜３のいずれか１項に記載の方法。
【請求項１２】  前記再分布した電気活性硫黄含有物質が、前記カソード活性層中に１５００ｍｇ／ｃｍ3より大きい体積密度で存在する、請求項１〜３のいずれか１項に記載の方法。
【請求項１３】  前記電気活性硫黄含有物質が、以下：共有結合性の−Ｓm−部分、イオン性の−Ｓm-部分、およびイオン性のＳm2-部分、からなる群から選択されるポリスルフィド部分、Ｓm（ここで、ｍは３以上の整数である）を含む硫黄含有ポリマーをさらに含む、請求項１〜３のいずれか１項に記載の方法。
【請求項１４】  工程（ｄ）における前記温度が１２０℃より高い、請求項１〜３のいずれか１項に記載の方法。
【請求項１５】  工程（ｄ）における前記温度が１４０℃より高い、請求項１〜３のいずれか１項に記載の方法。
【請求項１６】  工程（ｄ）における前記温度が１６０℃より高い、請求項１〜３のいずれか１項に記載の方法。
【請求項１７】  前記電気伝導性物質が、以下：
導電性炭素、導電性グラファイト、電気伝導性ポリマー、電気伝導性金属カルコゲニド、カーボンナノファイバー、活性炭ファイバー、金属粒子、金属ファイバー、および金属フレーク、
からなる群から選択される、請求項１〜３のいずれか１項に記載の方法。
【請求項１８】  工程（ａ）で形成される前記液体混合物および工程（ｅ）で形成される前記カソード活性層が、さらに有機高分子バインダーを含む、請求項１〜３のいずれか１項に記載の方法。
【請求項１９】  前記高分子バインダーが、前記カソード活性層の１０重量パーセント未満の量で存在する、請求項１８に記載の方法。
【請求項２０】  工程（ａ）で形成される前記液体混合物および工程（ｅ）で形成される前記カソード活性層が、さらにイオン導電物質を含む、請求項１または２に記載の方法。
【請求項２１】  前記イオン導電物質が、前記カソード活性層の１０重量パーセント未満の量で存在する、請求項２０に記載の方法。
【請求項２２】  請求項１〜３のいずれか１項に記載の方法により形成される、電流生成電池における使用のための固体複合カソード。
【請求項２３】  請求項７に記載の方法により形成される、電流生成電池における使用のための固体複合カソード。
【請求項２４】  請求項１０に記載の方法により形成される、電流生成電池における使用のための固体複合カソード。
【請求項２５】  請求項１２に記載の方法により形成される、電流生成電池における使用のための固体複合カソード。
【請求項２６】  請求項１４に記載の方法により形成される、電流生成電池における使用のための固体複合カソード。
【請求項２７】  請求項１７に記載の方法により形成される、電流生成電池における使用のための固体複合カソード。
【請求項２８】  請求項１８に記載の方法により形成される、電流生成電池における使用のための固体複合カソード。
【請求項２９】  請求項２０に記載の方法により形成される、電流生成電池における使用のための固体複合カソード。
【請求項３０】  電流生成電池であって：
（ａ）アノード；
（ｂ）請求項２２に記載の固体複合カソード；および、
（ｃ）該アノードと該カソードとの間に挿入された電解質、
を備える、電池。
【請求項３１】  前記カソード活性層が、放電の際に、５００ｍＡｈ／ｃｍ3より大きい容量を有する、請求項３０に記載の電池。
【請求項３２】  前記カソード活性層が、放電の際に、６００ｍＡｈ／ｃｍ3より大きい容量を有する、請求項３０に記載の電池。
【請求項３３】  前記カソード活性層が、放電の際に、７００ｍＡｈ／ｃｍ3より大きい容量を有する、請求項３０に記載の電池。
【請求項３４】  前記カソード活性層が、放電の際に、９００ｍＡｈ／ｃｍ3より大きい容量を有する、請求項３０に記載の電池。
【請求項３５】  前記カソード活性層が、放電の際に、１１００ｍＡｈ／ｃｍ3より大きい容量を有する、請求項３０に記載の電池。
【請求項３６】  前記アノードが、以下：
リチウム金属、リチウム−アルミニウム合金、リチウム−スズ合金、リチウム挿入炭素、およびリチウム挿入グラファイト、
からなる群から選択される１以上のアノード活性物質を含む、請求項３０に記載の電池。
【請求項３７】  前記電解質が、以下：
液体電解質、ゲル状ポリマー電解質、および固体ポリマー電解質、
からなる群から選択される１以上の物質を含む、請求項３０に記載の電池。
【請求項３８】  請求項３０に記載の電池であって、ここで前記電解質が、以下：
Ｎ−メチルアセトアミド、アセトニトリル、カーボネート、スルホラン、Ｎ−アルキルピロリドン、ジオキソラン、グライム、脂肪族エーテル、環状エーテル、およびシロキサン、からなる群から選択される１以上の電解質溶媒；ならびに１以上の電解質塩、
を含む、電池。